(57)【要約】【課題】  設置スペースを小さくすることができ、容易に且つ安定的に設置することができるドラム支持装置を提供する。【解決手段】  ケーブル４を巻回するための巻取りドラム６と、巻取りドラム６を回転自在に支持するための支持軸８と、支持軸８の両端部に着脱自在に装着される一対の支持脚体１０ａ，１０ｂと、を備える。一対の支持脚体１０ａ，１０ｂの各々は、支持軸８が挿入支持される筒状支持本体１８と、筒状支持本体１８から延びる支持脚２０と、を備え、支持脚２０は一対の脚部２４ａ，２４ｂを有しており、一方の脚部２４ａは、筒状支持本体１８から延びる上側脚部２８と、上側脚部２８に着脱自在に接続される下側脚部３０とに分割可能に構成されている。【選択図】  図１
0003126114.tif 000002
【実用新案登録請求の範囲】
【請求項１】
ケーブルを巻回するための巻取りドラムと、前記巻取りドラムを回転自在に支持するための支持軸と、前記支持軸の両端部に着脱自在に装着される一対の支持脚体と、を備えたドラム支持装置において、
前記一対の支持脚体の各々は、前記支持軸が挿入支持される筒状支持本体と、前記筒状支持本体から延びる支持脚と、を備え、前記支持脚は一対の脚部を有しており、前記一対の脚部の一方は、前記筒状支持本体から延びる上側脚部と、前記上側脚部に着脱自在に接続される下側脚部とに分割可能に構成されていることを特徴とするドラム支持装置。
【請求項２】
前記上側脚部の長さは、前記下側脚部の長さよりも短く構成されていることを特徴とする請求項１に記載のドラム支持装置。
【請求項３】
前記支持脚は、前記一対の脚部の各々の下端部に回転自在に取り付けられた支持部を更に有しており、前記支持部の底部には、滑り止め部材が取り付けられていることを特徴とする請求項１又は２に記載のドラム支持装置。
【請求項４】
前記支持軸は筒状に構成され、その内部にはスライド棒がスライド移動自在に挿入されており、前記スライド棒を前記支持軸の内部から引き出してこれを押し上げることにより、前記巻取りドラムの片側が持ち上げられることを特徴とする請求項１〜３のいずれかに記載のドラム支持装置。
【請求項５】
前記一対の脚部の各々には、その長さを調節するための長さ調節手段が設けられていることを特徴とする請求項１〜４のいずれかに記載のドラム支持装置。
【請求項６】
前記筒状支持本体には、前記支持軸を前記筒状支持本体に対して相対的に固定するための固定手段が設けられていることを特徴とする請求項１〜５のいずれかに記載のドラム支持装置。
【考案の詳細な説明】
【技術分野】
【０００１】
本考案は、例えば電線などのケーブルが巻回された巻取りドラムを支持するためのドラム支持装置に関する。
【背景技術】
【０００２】
従来より、例えば電線などのケーブルが巻回された巻取りドラムを支持するためのドラム支持装置が用いられている（例えば、特許文献１参照）。図８は従来のドラム支持装置を示す概略斜視図であり、図示のドラム支持装置１００は、ケーブル１０２を巻回するための巻取りドラム１０４と、巻取りドラム１０４を回転自在に支持するための支持軸１０６と、支持軸１０６の両端部に着脱自在に装着される一対の支持脚体１０８と、を備えている。支持脚体１０８は、支持軸１０６を支持するための半円筒状の支持本体部１１２と、支持本体部１１２から下方に延びる脚部１１４と、脚部１１４の下端部に設けられた略Ｔ字状の支持部１１６と、脚部１１４と支持部１１６とを相互に連結する連結部材１１８と、を有している。
【０００３】
このドラム支持装置２を設置する際には、まず一対の支持脚体１０８を所定の間隔を置いて床面に設置し、ケーブル１０２が巻回された巻取りドラム１０４を持ち上げて、支持軸１０６の両端部を各支持脚体１０８の支持本体部１１２にそれぞれ載置させる。
【０００４】
【特許文献１】実開平５−７７１７３号公報
【考案の開示】
【考案が解決しようとする課題】
【０００５】
しかしながら、上述のような従来のドラム支持装置１００では、次のような問題がある。第１に、ケーブル１０２が巻回された巻取りドラム１０４の重量は比較的大きい（例えば、百数十ｋｇ〜数百ｋｇ程度）ため、この巻取りドラム１０４を持ち上げて一対の支持脚体１０８に支持させる作業を行うのは容易でないという問題がある。第２に、支持脚体１０８の支持部１１６は略Ｔ字状に構成されているので、支持脚体１０８の設置スペースが比較的大きくなり、このためドラム支持装置１００の設置スペースを十分に確保しなければならず、限られた設置スペースしか確保できない場合には、ドラム支持装置１００を設置することが難しいという問題がある。第３に、支持脚体１０８の支持部１１６の底面は略Ｔ字状の平面状に形成されているので、例えば傾斜している床面や凹凸のある床面などに支持脚体１０８を設置すると、支持部１１６の底面と床面との接触面積を十分に確保することができず、このためドラム支持装置１００を安定して設置することができないという問題がある。
【０００６】
本考案の目的は、設置スペースを小さく抑えることができ、容易に且つ安定的に設置することができるドラム支持装置を提供することである。
【課題を解決するための手段】
【０００７】
本考案の請求項１に記載のドラム支持装置では、ケーブルを巻回するための巻取りドラムと、前記巻取りドラムを回転自在に支持するための支持軸と、前記支持軸の両端部に着脱自在に装着される一対の支持脚体と、を備えたドラム支持装置において、
前記一対の支持脚体の各々は、前記支持軸が挿入支持される筒状支持本体と、前記筒状支持本体から延びる支持脚と、を備え、前記支持脚は一対の脚部を有しており、前記一対の脚部の一方は、前記筒状支持本体から延びる上側脚部と、前記上側脚部に着脱自在に接続される下側脚部とに分割可能に構成されていることを特徴とする。
【０００８】
また、本考案の請求項２に記載のドラム支持装置では、前記上側脚部の長さは、前記下側脚部の長さよりも短く構成されていることを特徴とする。
さらに、本考案の請求項３に記載のドラム支持装置では、前記支持脚は、前記一対の脚部の各々の下端部に回転自在に取り付けられた支持部を更に有しており、前記支持部の底部には、滑り止め部材が取り付けられていることを特徴とする。
【０００９】
また、本考案の請求項４に記載のドラム支持装置では、前記支持軸は筒状に構成され、その内部にはスライド棒がスライド移動自在に挿入されており、前記スライド棒を前記支持軸の内部から引き出してこれを押し上げることにより、前記巻取りドラムの片側が持ち上げられることを特徴とする。
【００１０】
さらに、本考案の請求項５に記載のドラム支持装置では、前記一対の脚部の各々には、その長さを調節するための長さ調節手段が設けられていることを特徴とする。
また、本考案の請求項６に記載のドラム支持装置では、前記筒状支持本体には、前記支持軸を前記筒状支持本体に対して相対的に固定するための固定手段が設けられていることを特徴とする。
【考案の効果】
【００１１】
本考案の請求項１に記載のドラム支持装置によれば、支持脚体は、筒状支持本体と、筒状支持本体から延びる支持脚と、を備え、支持脚は一対の脚部を有しているので、支持脚体を床面に設置すると、これら一対の脚部の下端部が床面に支持されるようになり、これにより支持脚体の設置スペースを小さくすることができ、ドラム支持装置の設置スペースを小さく抑えることが可能となる。また、一対の脚部の一方は、筒状支持本体から延びる上側脚部と、上側脚部に着脱自在に接続される下側脚部とに分割可能に構成されているので、下側脚部を上側脚部より取り外した状態で一対の支持脚体を支持軸の両端部にそれぞれ装着し、巻取りドラムの片側を持ち上げて一方の支持脚体の下側脚部を上側脚部に接続し、次いで巻取りドラムの他側を持ち上げて他方の支持脚体の下側脚部を上側脚部に接続することにより、巻取りドラム全体を持ち上げることなく、巻取りドラムを一対の支持脚体に支持させることができ、ドラム支持装置の設置を容易に行うことが可能となる。
【００１２】
また、本考案の請求項２に記載のドラム支持装置によれば、上側脚部の長さは、下側脚部の長さよりも短く構成されているので、下側脚部を上側脚部より取り外すことにより、支持脚体の大きさをコンパクトにすることができ、例えば支持脚体の運搬や収納などを容易に行うことが可能となる。
【００１３】
さらに、本考案の請求項３に記載のドラム支持装置によれば、支持脚は、一対の脚部の各々の下端部に回転自在に取り付けられた支持部を更に有しているので、例えば傾斜している床面や凹凸のある床面などに支持脚体を設置すると、床面の形状等に応じて支持部が脚部に対して適宜回転されるようになり、これにより支持部の底面と床面との接触面積を確実に確保することができ、ドラム支持装置を安定的に設置することが可能となる。また、支持部の底部には滑り止め部材が取り付けられているので、支持脚体が床面に対して滑るのを防止することができ、ドラム支持装置をより安定的に設置することが可能となる。
【００１４】
また、本考案の請求項４に記載のドラム支持装置によれば、支持軸の内部にはスライド棒がスライド移動自在に挿入されているので、スライド棒を支持軸の内部から引き出してこれを押し上げることにより、梃子の原理によって巻取りドラムの片側（又は他側）を容易に持ち上げることができ、これによりドラム支持装置を上述の通りに容易に設置することが可能となる。
【００１５】
さらに、本考案の請求項５に記載のドラム支持装置によれば、一対の脚部の各々には、その長さを調節するための長さ調節手段が設けられているので、巻取りドラムの外径等に応じて脚部の長さを適宜調節することができ、これにより巻取りドラムを一対の支持脚体に確実に支持させることが可能となる。
【００１６】
また、本考案の請求項６に記載のドラム支持装置によれば、筒状支持本体には、支持軸を筒状支持本体に対して相対的に固定するための固定手段が設けられているので、支持軸が筒状支持本体内を滑って筒状支持本体から抜け落ちるのを防止することができ、ドラム支持装置をより安定的に設置することが可能となる。
【考案を実施するための最良の形態】
【００１７】
以下、添付図面を参照して、本考案に従うドラム支持装置の一実施形態について説明する。図１は、本考案の一実施形態によるドラム支持装置を示す概略斜視図であり、図２は、図１の支持脚体を示す概略斜視図であり、図３は、下側脚部を上側脚部より取り外した状態での、図１の支持脚体を示す概略斜視図であり、図４は、支持軸の両端部に図３の支持脚体を装着した状態を示すドラム支持装置の概略斜視図であり、図５は、図４の状態より巻取りドラムの片側を持ち上げて下側脚部を上側脚部に取り付けた状態を示すドラム支持装置の概略斜視図であり、図６は、図１の巻取りドラムを移動させる方法を説明するための図であり、図７は、図１の巻取りドラムを階段で昇降させる方法を説明するための図である。
【００１８】
図１〜図３を参照して、図示のドラム支持装置２は、ケーブル４を巻回するための巻取りドラム６と、巻取りドラム６を回転自在に支持するための支持軸８と、支持軸８の両端部に着脱自在に装着される一対の支持脚体１０ａ，１０ｂと、を備えている。以下、これら各構成要素について詳細に説明する。
【００１９】
巻取りドラム６は、略円柱状のドラム本体１２と、ドラム本体１２の両端部に設けられた円板状の一対の鍔部１４と、から構成されている。ドラム本体１２の内部には、その軸方向（図１において左右方向）に延びる円形状の貫通孔（図示しない）が設けられている。鍔部１４の外径はドラム本体１２の外径よりも大きく構成され、その中央部には、ドラム本体１２の貫通孔に対応して円形状の開口部（図示しない）が設けられている。ドラム本体１２には、例えば電線などのケーブル４がコイル状に巻回され、この巻回されたケーブル４が、一対の鍔部１４によってその両側より支持される。
【００２０】
支持軸８は、断面円形状の中空筒状に構成され、その長さは、巻取りドラム６の軸方向の長さよりも長く構成されている。支持軸８の外径は、ドラム本体１２の貫通孔の外径よりも僅かに小さく構成されており、これにより支持軸８は、鍔部１４の開口部を通してドラム本体１２の貫通孔にスライド移動自在に挿入される。また、この支持軸８の内部には、断面円形状の筒状のスライド棒１６がスライド移動自在に挿入され、このスライド棒１６の長さは、支持軸８の長さと略同一又はこれよりも長く構成されている。
【００２１】
支持脚体１０ａ（１０ｂ）は、支持軸８が挿入支持される筒状支持本体１８と、筒状支持本体１８から延びる支持脚２０と、を備えている。筒状支持本体１８は筒状に構成され、その内径は、支持軸８の外径よりも僅かに大きく構成されている。筒状支持本体１８の上側部にはネジ孔（図示しない）が設けられ、このネジ孔には固定用ボルト２２が螺着されており、これらネジ孔及び固定用ボルト２２により固定手段が構成される。固定用ボルト２２をネジ孔に対して相対的に所定方向（又は、所定方向と反対方向）に回転させると、固定用ボルト２２がネジ孔に対して相対的に筒状支持本体１８の径方向内方（又は、径方向外方）に移動される。筒状支持本体１８内に支持軸８が挿入されている状態において、固定用ボルト２２を上記所定方向に回転させると、固定用ボルト２２の先端部が筒状支持本体１８の内部に突出されて支持軸８の外周面に当接され、これにより支持軸８が筒状支持本体１８に対して相対的に固定される。また、この状態より固定用ボルト２２を上記所定方向と反対方向に回転させると、固定用ボルト２２の先端部が支持軸８の外周面より離脱され、これにより支持軸８の筒状支持本体１８に対する固定が解除される。
【００２２】
支持脚２０は筒状支持本体１８から略逆Ｖ字状に延びる一対の脚部２４ａ，２４ｂと、一対の脚部２４ａ，２４ｂの各々の下端部に回転自在に取り付けられた支持部２６と、を有している。一対の脚部２４ａ，２４ｂの一方の脚部２４ａは、筒状支持本体１８から延びる上側脚部２８と、上側脚部２８に着脱自在に接続される下側脚部３０とに分割可能に構成されている。これら上側脚部２８及び下側脚部３０はそれぞれ筒状に構成され、上側脚部２８の長さは、下側脚部３０の長さよりも短く構成されている。下側脚部３０の外径は上側脚部２８の内径よりも僅かに小さく構成されており、下側脚部３０の上端部は、上側脚部２８の下端開口部よりその内部にスライド移動自在に挿入され（図２参照）、また、下側脚部３０の上端部を上側脚部２８の内部より引き出すことにより、下側脚部３０が上側脚部２８より取り外される（図３参照）。
【００２３】
上側脚部２８の側部にはネジ孔（図示しない）が設けられ、このネジ孔には調節用ボルト３２が螺着されており、これらネジ孔及び調節用ボルト３２により長さ調節手段が構成される。調節用ボルト３２をネジ孔に対して相対的に所定方向（又は、所定方向と反対方向）に回転させると、調節用ボルト３２がネジ孔に対して相対的に上側脚部２８の径方向内方（又は、径方向外方）に移動される。下側脚部３０の上端部を上側脚部２８の内部でスライド移動させることにより一方の脚部２４ａが伸縮され、このように一方の脚部２４ａを伸縮させてその長さを調節した状態で調節用ボルト３２を上記所定方向に回転させると、調節用ボルト３２の先端部が上側脚部２８の内部に突出されて下側脚部３０の外周面に当接され、これにより下側脚部３０が上側脚部２８に対して相対的に固定される。また、この状態より調節用ボルト３２を上記所定方向と反対方向に回転させると、調節用ボルト３２の先端部が下側脚部３０の外周面より離脱され、これにより下側脚部３０の上側脚部２８に対する固定が解除される。また、下側脚部３０の下端部における対向する側部にはそれぞれ、円形状の一対の挿入用開口部（図示しない）が設けられている。
【００２４】
一対の脚部２４ａ，２４ｂの他方の脚部２４ｂは、筒状支持本体１８から延びる第１脚部３４と、この第１脚部３４にスライド移動自在に接続される第２脚部３６と、を有している。これら第１脚部３４及び第２脚部３６はそれぞれ筒状に構成され、第１脚部３４の長さは、第２脚部３６の長さよりも長く構成されている。第２脚部３６の外径は第１脚部３４の内径よりも僅かに小さく構成されており、第２脚部３６の上端部は、第１脚部３４の下端開口部よりその内部にスライド移動自在に挿入されている。第１脚部３４の下端部における側部にはネジ孔（図示しない）が設けられ、このネジ孔には調節用ボルト３８が螺着されており、これらネジ孔及び調節用ボルト３８により長さ調節手段が構成される。上述したのと同様に、第２脚部３６を第１脚部３４の内部でスライド移動させることにより他方の脚部２４ｂが伸縮され、このように他方の脚部２４ｂを伸縮させてその長さを調節した状態で調節用ボルト３８を所定方向に回転させると、第２脚部３６が第１脚部３４に対して相対的に固定され、またこの状態より調節用ボルト３８を上記所定方向と反対方向に回転させると、第２脚部３６の第１脚部３４に対する固定が解除される。また、第２脚部３６の下端部における対向する側部にはそれぞれ、円形状の一対の挿入用開口部（図示しない）が設けられている。
【００２５】
支持部２６は、プレート状の本体支持部４０と、本体支持部４０の両端部より所定方向に対向して延びる一対の側板部４２と、を有している。一対の側板部４２の各々には、下側脚部３０（又は第２脚部３６）の挿入用開口部に対応して円形状の開口部（図示しない）が設けられている。支持用ボルト４４が一方の側板部４２の開口部、下側脚部３０（又は第２脚部３６）の挿入用開口部及び他方の側板部４２の開口部を通して挿入され、この挿入された支持用ボルト４４の端部にはナット４６が螺着されており、これにより本体支持部４０は、支持用ボルト４４を軸として脚部２４ａ（又は脚部２４ｂ）に対して相対的に図２中の矢印で示す方向に回転可能に取り付けられる。また、本体支持部４０の底面には、滑り止め部材としてのプレート状のゴム部材４８が取り付けられている。
【００２６】
図４及び図５をも参照して、上述のように構成されたドラム支持装置２は、例えば工事現場等において次のようにして設置される。まず、ケーブル４が巻回された巻取りドラム６を床面に載置し、支持軸８を一方の鍔部１４の開口部を通して巻取りドラム６の貫通孔に挿入し、支持軸８の両端部を一対の鍔部１４の開口部よりそれぞれ外部に突出させる。また、この支持軸８の内部にはスライド棒１６を挿入する。支持脚体１０ａ，１０ｂの支持脚２０の下側脚部３０を上側脚部２８より取り外した状態で、一対の支持脚体１０ａ，１０ｂの各筒状支持本体１８に支持軸８の両端部をそれぞれ挿入し（図４参照）、固定用ボルト２２を上記所定方向に回転させて支持軸８を筒状支持本体１８に対して相対的に固定する。また、上述のようにして他方の脚部２４ｂを伸縮させて、その長さを巻取りドラム６の鍔部１４の外径よりも長くなるように調節し、調節用ボルト３８を上記所定方向に回転させて第２脚部３６を第１脚部３４に対して相対的に固定する。
【００２７】
この状態より、スライド棒１６を支持軸８の一方側より引き出してこのスライド棒１６を押し上げると、巻取りドラム６の片側（図５において右側）が、その他側（図５において左側）における鍔部１４の下端部を支点として持ち上げられる（図５参照）。このように支持軸８より引き出されたスライド棒１６を押し上げることにより、梃子の原理によって容易に巻取りドラム６の片側を持ち上げることができる。
【００２８】
このように巻取りドラム６の片側が持ち上げられた状態において、巻取りドラム６の片側において装着された一方の支持脚体１０ａの支持脚２０の上側脚部２８に下側脚部３０を取り付け（図５参照）、一方の脚部２４ａを伸縮させてその長さを他方の脚部２４ｂの長さと略同一に調節し、調節用ボルト３２を上記所定方向に回転させて下側脚部３０を上側脚部２８に対して相対的に固定する。このように一方の支持脚体１０ａの支持脚２０の上側脚部２８に下側脚部３０が取り付けられると、一方の支持脚体１０ａの一対の脚部２４ａ，２４ｂの下端部（すなわち、支持部２６）が床面に支持され、これにより巻取りドラム６は、その片側が持ち上げられた状態に保持される。
【００２９】
その後、スライド棒１６を支持軸８の内部に押し込んで支持軸８の他方側より引き出し、この引き出されたスライド棒１６を押し上げると、巻取りドラム６の他側が、その片側における鍔部１４の下端部を支点として持ち上げられる。このように巻取りドラム６の他側が持ち上げられた状態において、巻取りドラム６の他側において装着された他方の支持脚体１０ｂの支持脚２０の上側脚部２８に下側脚部３０を取り付け、一方の脚部２４ａを伸縮させてその長さを他方の脚部２４ｂの長さと略同一に調節し、調節用ボルト３２を上記所定方向に回転させて下側脚部３０を上側脚部２８に対して相対的に固定する。このように他方の支持脚体１０ｂの支持脚２０の上側脚部２８に下側脚部３０が取り付けられると、他方の支持脚体１０ｂの一対の脚部２４ａ，２４ｂの下端部（すなわち、支持部２６）が床面に支持され、これにより巻取りドラム６は一対の支持脚体１０ａ，１０ｂにより支持され、このようにしてドラム支持装置２の設置が完了する（図１参照）。
【００３０】
したがって、巻取りドラム６全体を持ち上げることなく、巻取りドラム６を一対の支持脚体１０ａ，１０ｂに支持させることができるので、ドラム支持装置２の設置を容易に行うことができる。また、支持脚体１０ａ，１０ｂを床面に設置すると、一対の脚部２４ａ，２４ｂの下端部（すなわち、支持部２６）が床面に支持されるようになるので、支持脚体１０ａ，１０ｂの設置スペースが小さくなり、これによりドラム支持装置２の設置スペースを小さく抑えることができる。
【００３１】
また、一対の脚部２４ａ，２４ｂの下端部にはそれぞれ支持部２６が回転自在に取り付けられているので、一対の脚部２４ａ，２４ｂの下端部が床面に支持された際に、例えば床面の形状等に応じて支持部２６が適宜回転され、これにより本体支持部４０の底面と床面との接触面積を確実に確保することができ、例えば傾斜している床面や凹凸のある床面に対してもドラム支持装置２を安定的に設置することができる。更に、本体支持部４０の底面には滑り止め用のゴム部材４８が取り付けられているので、支持脚体１０ａ，１０ｂが床面に対して滑るのを防止することができる。
【００３２】
上述のようにドラム支持装置２が設置された状態において、巻取りドラム６に巻回されたケーブル４の一端部を図１中の矢印Ｐで示す方向に引き出すと、巻取りドラム６が支持軸８を軸として図１中の矢印Ｑで示す方向に回転され、これによりケーブル４がドラム本体１２より送出される。また、この状態より巻取りドラム６を図１中の矢印Ｒで示す方向に回転させると、ケーブル４の一端部が図１中の矢印Ｓで示す方向に移動され、これによりケーブル４の一端部がドラム本体１２に巻き取られる。
【００３３】
なお、巻取りドラム６は、一対の支持脚体１０ａ，１０ｂを用いて例えば次のようにして移動させることができる。支持軸８を巻取りドラム６の貫通孔に挿入し、支持脚体１０ａ，１０ｂの支持脚２０の下側脚部３０を上側脚部２８より取り外した状態で、一対の支持脚体１０ａ，１０ｂの各筒状支持本体１８に支持軸８の両端部をそれぞれ挿入する（図４参照）。この状態より、各支持脚体１０ａ，１０ｂの他方の脚部２４ｂの下端部を手で掴んで巻取りドラム６を前方（図６において左方向）に押すことにより、巻取りドラム６が支持軸８を軸として回転しながら移動され、巻取りドラム６を手押し車の如く移動させることができる（図６参照）。上述のように下側脚部３０は上側脚部２８より取り外されているので、巻取りドラム６を移動させる際に一方の脚部２４ａが床面に接触することがなく、巻取りドラム６をスムーズに移動させることができる。
【００３４】
また、巻取りドラム６を階段５０で昇降させる際には、上述のように支持脚体１０ａ，１０ｂの支持脚２０の下側脚部３０を上側脚部２８より取り外した状態で、一対の支持脚体１０ａ，１０ｂの各筒状支持本体１８に支持軸８の両端部をそれぞれ挿入し、支持脚２０の他方の脚部２４ｂの下端部（すなわち、支持部２６）を階段５０のステップ５２に支持させながら巻取りドラム６を昇降させる（図７参照）。これにより、巻取りドラム６を常に手で支えておく必要がなく、容易に巻取りドラム６を階段５０で昇降させることが可能となる。なお、上述のように下側脚部３０は上側脚部２８より取り外されているので、巻取りドラム６を階段５０で昇降させる際に一方の脚部２４ａが階段５０のステップ５２に接触することがなく、巻取りドラム６をスムーズに昇降させることができる。
【００３５】
以上、本考案に従うドラム支持装置の一実施形態について説明したが、本考案はかかる実施形態に限定されるものではなく、本考案の範囲を逸脱することなく種々の変形乃至修正が可能である。
【図面の簡単な説明】
【００３６】
【図１】本考案の一実施形態によるドラム支持装置を示す概略斜視図である。
【図２】図１の支持脚体を示す概略斜視図である。
【図３】下側脚部を上側脚部より取り外した状態での、図１の支持脚体を示す概略斜視図である。
【図４】支持軸の両端部に図３の支持脚体を装着した状態を示すドラム支持装置の概略斜視図である。
【図５】図４の状態より巻取りドラムの片側を持ち上げて下側脚部を上側脚部に取り付けた状態を示すドラム支持装置の概略斜視図である。
【図６】図１の巻取りドラムを移動させる方法を説明するための図である。
【図７】図１の巻取りドラムを階段で昇降させる方法を説明するための図である。
【図８】従来のドラム支持装置を示す概略斜視図である。
【符号の説明】
【００３７】
２，１００  ドラム支持装置
４，１０２  ケーブル
６，１０４  巻取りドラム
８，１０６  支持軸
１０ａ，１０ｂ，１０８  支持脚体
１６  スライド棒
１８  筒状支持本体
２０  支持脚
２４ａ，２４ｂ  脚部
２６，１１６  支持部
２８  上側脚部
３０  下側脚部
４８  ゴム部材
【図１】
0003126114.tif 000003
【図２】
0003126114.tif 000004
【図３】
0003126114.tif 000005
【図４】
0003126114.tif 000006
【図５】
0003126114.tif 000007
【図６】
0003126114.tif 000008
【図７】
0003126114.tif 000009
【図８】
0003126114.tif 000010